(57)【要約】【課題】  一方の端面に当接する帯板状の吐出弁により開閉される吐出穴と、他方の端面に当接し吐出穴の周囲を覆うと共に吐出穴に対峙する開口が形成された帯板状の吸入弁により開閉される吸入穴とが形成された往復動圧縮機の弁板であって、吸入弁が開弁する際の振動・騒音低減効果が大きな弁板を提供する。【解決手段】  一方の端面に当接する帯板状の吐出弁により開閉される吐出穴と、他方の端面に当接し吐出穴の周囲を覆うと共に吐出穴に対峙する開口が形成された帯板状の吸入弁により開閉される吸入穴とが形成された往復動圧縮機の弁板であって、前記他方の端面に吸入穴を取り巻く環状溝と吐出穴を取り巻く環状溝とが形成されている。【選択図】  図２
2006242004.tif 000002
【特許請求の範囲】
【請求項１】
一方の端面に当接する帯板状の吐出弁により開閉される吐出穴と、他方の端面に当接し吐出穴の周囲を覆うと共に吐出穴に対峙する開口が形成された帯板状の吸入弁により開閉される吸入穴とが形成された往復動圧縮機の弁板であって、前記他方の端面に吸入穴を取り巻く環状溝と吐出穴を取り巻く環状溝とが形成されていることを特徴とする往復動圧縮機の弁板。
【請求項２】
前記一方の端面に吸入穴を取り巻く環状溝と吐出穴を取り巻く環状溝とが形成されていることを特徴とする請求項１に記載の往復動圧縮機の弁板。
【発明の詳細な説明】
【技術分野】
【０００１】
本発明は、往復動圧縮機の弁板に関するものである。
【背景技術】
【０００２】
一方の端面に当接する帯板状の吐出弁により開閉される吐出穴と、他方の端面に当接し吐出穴の周囲を覆うと共に吐出穴に対峙する開口が形成された帯板状の吸入弁により開閉される吸入穴とが形成された往復動圧縮機の弁板であって、前記一方の端面に吐出穴を取り巻く環状溝が形成され、前記他方の端面に吸入穴を取り巻く環状溝が形成された往復動圧縮機の弁板が、特許文献１に開示されている。
特許文献１の弁板においては、吸入穴を取り巻く環状溝の配設により吸入弁の弁板への貼り付きが抑制されて吸入弁が開く際の自励振動の振幅が低減し、冷媒ガスの吸入圧脈動が低減し、吸入配管に接続されたエアコン部品の振動・騒音が低減し、一方、吐出穴を取り巻く環状溝の配設により吐出弁の弁板への貼り付きが抑制されて吐出弁が開く際の自励振動の振幅が低減し、冷媒ガスの吐出圧脈動が低減し、吐出配管に接続されたエアコン部品の振動・騒音が低減する。
【特許文献１】特開平１１−１１７８６７
【発明の開示】
【発明が解決しようとする課題】
【０００３】
特許文献１の弁板においては、吸入弁は吸入穴のみならず吐出穴の周囲をも覆っているが、前記他方の端面には吐出穴を取り巻く環状溝は形成されていないので、吸入弁は吐出穴の周囲では弁板に貼り付いている。この結果、前記他方の端面に吸入穴を取り巻く環状溝を配設したことによる吸入弁の開弁時自励振動低減効果が低減するという問題がある。
本発明は上記問題に鑑みてなされたものであり、一方の端面に当接する帯板状の吐出弁により開閉される吐出穴と、他方の端面に当接し吐出穴の周囲を覆うと共に吐出穴に対峙する開口が形成された帯板状の吸入弁により開閉される吸入穴とが形成された往復動圧縮機の弁板であって、特許文献１の弁板よりも、吸入弁の開弁時自励振動低減効果が大きな弁板を提供することを目的とする。
【課題を解決するための手段】
【０００４】
上記課題を解決するために、本発明においては、一方の端面に当接する帯板状の吐出弁により開閉される吐出穴と、他方の端面に当接し吐出穴の周囲を覆うと共に吐出穴に対峙する開口が形成された帯板状の吸入弁により開閉される吸入穴とが形成された往復動圧縮機の弁板であって、前記他方の端面に吸入穴を取り巻く環状溝と吐出穴を取り巻く環状溝とが形成されていることを特徴とする往復動圧縮機の弁板を提供する。
本発明に係る往復動圧縮機の弁板においては、前記他方の端面に、吸入穴を取り巻く環状溝のみならず吐出穴を取り巻く環状溝も形成されているので、吸入穴の周囲のみならず吐出穴の周囲でも、吸入弁の弁板への貼り付き抑制される。この結果、開弁時の吸入弁の自励振動の振幅が特許文献１よりも更に低減し、冷媒ガスの吸入圧脈動が特許文献１よりも更に低減し、吸入配管に接続されたエアコン部品の振動・騒音が特許文献１よりも更に低減する。
【０００５】
本発明の好ましい態様においては、前記一方の端面に吸入穴を取り巻く環状溝と吐出穴を取り巻く環状溝とが形成されている。
前記一方の端面に吸入穴を取り巻く環状溝と吐出穴を取り巻く環状溝とが形成されていれば、弁板の一方の端面の構造と他方の端面の構造とが同一になるので、弁板を組み付ける際の表裏の方向性がなくなり、作業性が向上する。
【発明の効果】
【０００６】
本発明に係る往復動圧縮機の弁板においては、前記他方の端面に、吸入穴を取り巻く環状溝のみならず吐出穴を取り巻く環状溝も形成されているので、吸入穴の周囲のみならず吐出穴の周囲でも、吸入弁の弁板への貼り付き抑制される。この結果、開弁時の吸入弁の自励振動の振幅が特許文献１よりも更に低減し、冷媒ガスの吸入圧脈動が特許文献１よりも更に低減し、吸入配管に接続されたエアコン部品の振動・騒音が特許文献１よりも更に低減する。
【発明を実施するための最良の形態】
【０００７】
本発明の実施例に係る往復動圧縮機の弁板を説明する。
【実施例１】
【０００８】
図１に示すように、可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
複数対のシュー１４と、複数のピストン１５とボア１６ａとが、周方向に互いに間隔を隔てて配設されている。
ローター１１、斜板１２、リンク機構１３、シュー１４、ピストン１５は、回転軸１０により駆動される圧縮機構を形成している。
回転軸１０、ローター１１、斜板１２を収容するクランク室１７を形成する有底円筒状のフロントハウジング１８が配設されている。回転軸１０は、フロントハウジング１８を貫通して外部へ延びている。
【０００９】
回転軸１０のフロントハウジング貫通部を密封する軸封部材１９が配設されている。
フロントハウジング１８に取り付けられた電磁クラッチ２０を介して図示しない外部駆動源から回転軸１０の先端部に回転動力が伝達される。
吸入室２１ａと吐出室２１ｂとを形成するシリンダヘッド２１が配設されている。
【００１０】
シリンダブロック１６とシリンダヘッド２１との間にボア１６ａに連通する吸入穴２２ａと吐出穴２２ｂとが形成された弁板２２が配設されている。
図２に示すように、弁板２２のシリンダブロック側端面に、吸入穴２２ａを取り囲む環状溝２２ａ’と吐出穴２２ｂを取り囲む環状溝２２ｂ’とが形成され、弁板２２のシリンダヘッド側端面に、吐出穴２２ｂを取り囲む環状溝２２ｂ”が形成されている。
図２に示すように、弁板２２のシリンダブロック側の端面に当接し、吐出穴２２ｂの周囲を覆うと共に吐出穴２２ｂに対峙する開口２３ａが形成された、吸入穴２２ａを開閉する帯板状の吸入弁２３と、弁板２２のシリンダヘッド側の端面に当接し、吐出穴２２ｂを開閉する吐出弁２４とが配設されている。吸入弁２３は弁板２２とシリンダブロック１６とにより挟持されて弁板２２に固定され、吐出弁２４はボルト２５により弁板２２に固定されている。
【００１１】
フロントハウジング１８、シリンダブロック１６、弁板２２、シリンダヘッド２１は、ボルト２６により一体に組み付けられている。
【００１２】
回転軸１０はラジアルベアリング２７、２８を介してフロントハウジング１８、シリンダブロック１６により回転可能に支持され、ローター１１はスラストベアリング２９を介してフロントハウジング１８により回転可能に支持されている。
【００１３】
可変容量型斜板式圧縮機Ａにおいては、図示しない外部駆動源の回転動力が電磁クラッチ２０を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２１に形成された吸入ポートと吸入室２１ａと吸入穴２２ａと吸入弁とを介してボア１６ａへ吸入され、ボア１６ａ内で圧縮され、吐出穴２２ｂと吐出弁と吐出室２１ｂとシリンダヘッド２１に形成された吐出ポートとを介して外部冷凍回路へ流出する。
吸入穴２２ａを取り巻く環状溝２２ａ’の配設により吸入弁２３の弁板２２への貼り付きが抑制されて、吸入弁２３が開く際の自励振動の振幅が低減し、冷媒ガスの吸入圧脈動が低減し、吸入配管に接続されたエアコン部品の振動・騒音が低減する。一方、吐出穴２２ｂを取り巻く環状溝２２ｂ”の配設により吐出弁２４の弁板２２への貼り付きが抑制されて、吐出弁２４が開く際の自励振動の振幅が低減し、冷媒ガスの吐出圧脈動が低減し、吐出配管に接続されたエアコン部品の振動・騒音が低減する。
【００１４】
可変容量型斜板式圧縮機Ａの弁板２２においては、吸入弁２３が対峙する吸入穴２２ａの周囲に環状溝２２ａ’が形成されているのみならず、吸入弁２３が対峙する吐出穴２２ｂの周囲にも環状溝２２ｂ’が形成されているので、吸入穴２２ａの周囲のみならず吐出穴２２ｂの周囲でも、吸入弁２３の弁板２２への貼り付き抑制される。この結果、吸入弁２３が開弁する際の吸入弁の自励振動の振幅が特許文献１よりも更に低減し、冷媒ガスの吸入圧脈動が特許文献１よりも更に低減し、吸入配管に接続されたエアコン部品の振動・騒音が特許文献１よりも更に低減する。
【実施例２】
【００１５】
実施例１の弁板２２において、図３に示すように、環状溝２２ａ’、２２ｂ’、２２ｂ”に加えて、弁板２２のシリンダヘッド側の端面に、吸入穴２２ａを取り巻く環状溝２２ａ”を形成しても良い。
弁板２２のシリンダブロック側の端面に吸入穴２２ａを取り囲む環状溝２２ａ’と吐出穴２２ｂを取り囲む環状溝２２ｂ’とが形成され、弁板２２のシリンダヘッド側端面に、吸入穴２２ａを取り囲む環状溝２２ａ”と吐出穴２２ｂを取り囲む環状溝２２ｂ”とが形成されていれば、弁板２２のシリンダブロック側の端面の構造とシリンダヘッド側端面の構造とが同一になるので、弁板２２を組み付ける際の表裏の方向性がなくなり、作業性が向上する。
【産業上の利用可能性】
【００１６】
本発明は、一方の端面に当接する帯板状の吐出弁により開閉される吐出穴と、他方の端面に当接し吐出穴の周囲を覆うと共に吐出穴に対峙する開口が形成された帯板状の吸入弁により開閉される吸入穴とが形成された往復動圧縮機の弁板に広く利用可能である。
【図面の簡単な説明】
【００１７】
【図１】本発明の第１実施例に係る弁板を備える可変容量型斜板式圧縮機の断面図である。
【図２】（ａ）は図１のＩＩ−ＩＩ矢視図であり、（ｂ）は（ａ）のｂ−ｂ矢視図である。
【図３】本発明の第２実施例に弁板の図２（ｂ）相当する図である。
【符号の説明】
【００１８】
Ａ  可変容量型斜板式圧縮機
１０  回転軸
１１  ローター
１２  斜板
１３  リンク機構
１４  シュー
１５  ピストン
１６  シリンダブロック
１８  フロントハウジング
２１  シリンダヘッド
２２  弁板
２２ａ’、２２ｂ’、２２ａ”、２２ｂ”  環状溝
２３  吸入弁
２４  吐出弁
【図１】
2006242004.tif 000003
【図２】
2006242004.tif 000004
【図３】
2006242004.tif 000005